(57)【特許請求の範囲】
【請求項１】
床面に設置される脚部材と、
着座者が着座可能な座部材と、
前記脚部材と前記座部材とを連結する連結部材と、
少なくとも前記座部材の下部の外縁から前記脚部材の上部の外縁までの範囲に、上下方向にわたって張られた外被材と、を備えた椅子であって、
平面視において、前記脚部材の形状と前記座部材の形状とは異なり、
前記外被材は、前記連結部材との間に空間部を形成するように張られていることを特徴とする椅子。
【請求項２】
前記外被材は、前記座部材を覆うように張られていることを特徴とする請求項１に記載の椅子。
【請求項３】
前記連結部材は複数あることを特徴とする請求項１または２に記載の椅子。
【請求項４】
前記座部材は、
弾性を有するクッション材と、
前記クッション材を支持するクッション支持部と、を有し、
前記連結部材は、前記脚部材と前記クッション支持部とを連結することを特徴とする請求項１から３のいずれか一項に記載の椅子。
【請求項５】
前記脚部材は、
床面に設置される設置部と、
前記設置部の上部に配置されたベース部と、を有し、
前記外被材の端部は、前記設置部と前記ベース部との間に挟み込まれて取り付けられていることを特徴とする請求項１から４のいずれか一項に記載の椅子。
【発明の詳細な説明】
【技術分野】
【０００１】
本発明は、椅子に関するものである。
【背景技術】
【０００２】
従来から、公共施設や待合室等の室内空間において、着座者が着座可能であって、背凭れや肘掛けが設けられていないスツールが知られている。このようなスツールとして、断面門型に成形された発泡スチロール樹脂製台枠と、発泡スチロール樹脂製台枠の上部に設けられた弾性発泡体及び弾性発泡板と、これら発泡スチロール樹脂製台枠及び弾性発泡板の表面に沿って張られた化粧シートと、を備えたものが提案されている（下記の特許文献１参照）。
【先行技術文献】
【特許文献】
【０００３】
【特許文献１】実公昭４６−８４３６号公報
【発明の概要】
【発明が解決しようとする課題】
【０００４】
上記に示す特許文献１に示すように、化粧シートのような外被材は、発泡スチロール樹脂製台枠及び弾性発泡板等の芯材の表面に沿って張られる。よって、弾性発泡板により構成される座部材の平面視形状と、発泡スチロール樹脂製台枠の下部により構成される脚部座の平面視形状とが異なる椅子では、芯材が複雑な形状をなすため、芯材の表面に沿って張られる外被材に捩れやしわ等が生じる可能性があるという問題点がある。
【０００５】
本発明は、上記事情に鑑みてなされたものであり、座部材の平面視における形状と脚部材の平面視における形状が異なる椅子において、外被材が支障なく張られた椅子を提供するものである。
【課題を解決するための手段】
【０００６】
上記目的を達成するために、本発明は以下の手段を採用している。
すなわち、本発明に係る椅子は、床面に設置される脚部材と、着座者が着座可能な座部材と、前記脚部材と前記座部材とを連結する連結部材と、少なくとも前記座部材の下部の外縁から前記脚部材の上部の外縁までの範囲に、上下方向にわたって張られた外被材と、を備えた椅子であって、平面視において、前記脚部材の形状と前記座部材の形状とは異なり、前記外被材は、前記連結部材との間に空間部を形成するように張られていることを特徴とする。
【０００７】
このように構成された椅子では、外被材は、少なくとも座部材の下部の外縁から脚部材の上部の外縁まで範囲に、上下方向にわたって張られるとともに、連結部材との間に空間部を形成している。例えば、脚部材と座部材との間に外郭をなす芯材が設けられた椅子において、平面視で脚部材の形状と座部材の形状とが異なると、芯材が複雑な形状をなすため、芯材に沿って張られた外被材には局所的な力が生じる。一方、本発明では、外被材は、連結部材との間に形成された空間部に沿って自由に変形することができ、局所的な力が生じることがない。よって、外被材に捩れ等が生じることが抑制されるため、外被材を支障なく張ることができる。
【０００８】
また、本発明に係る椅子は、前記外被材は、前記座部材を覆うように張られていることが好ましい。
【０００９】
このように構成された椅子では、外被材は、座部材を覆うとともに脚部材の上部の外縁まで上下方向にわたって張られている。よって、座部材から脚部材の上部にわたって張られた外被材により、統一感のある外観デザインの椅子を提供することができる。
【００１０】
また、本発明に係る椅子は、前記連結部材は複数あってもよい。
【００１１】
このように構成された椅子では、複数の連結部材が脚部材と座部材とを連結するため、複数の連結部材で、座部材に作用する着座者の荷重を確実に支持することができる。
【００１２】
また、本発明に係る椅子は、前記座部材は、弾性を有するクッション材と、前記クッション材を支持するクッション支持部と、を有し、前記連結部材は、前記脚部材と前記クッション支持部とを連結していてもよい。
【００１３】
このように構成された椅子では、着座者が着座するクッション材は弾性を有するため、座り心地を良好にすることができる。また、クッション材を支持するクッション支持部は連結部材を介して脚部材に連結されているため、クッション材に作用する着座者の荷重を確実に支持することができる。
【００１４】
また、本発明に係る椅子は、前記脚部材は、床面に設置される設置部と、前記設置部の上部に配置されたベース部と、を有し、前記外被材の端部は、前記設置部と前記ベース部との間に挟み込まれて取り付けられていてもよい。
【００１５】
このように構成された椅子では、外被材の端部は設置部とベース部との間に挟み込まれ外部から見えないため、椅子の外観を向上させることができる。また、外被材の端部は床面に設置される設置部とベース部との間に挟み込まれているため、外被材が床面に接することがない。よって、外被材が床面に接触して汚れることが抑制される。
【発明の効果】
【００１６】
本発明に係る椅子によれば、座部材の平面視における形状と脚部材の平面視における形状が異なる椅子において、外被材が支障なく張られる。
【図面の簡単な説明】
【００１７】
【図１】本発明の一実施形態に係る椅子の斜視図である。
【図２】本発明の一実施形態に係る椅子の分解斜視図である。
【図３】本発明の一実施形態に係る椅子の一部を切断した斜視図である。
【図４】本発明の一実施形態の変形例に係る椅子の斜視図である。
【発明を実施するための形態】
【００１８】
以下、椅子の一例として、本発明の実施形態に係るスツールについて説明する。このスツールは、公共施設や待合室等の室内空間に設置され、利用者が着座可能であるとともに背凭れや肘掛けが設けられていないものである。
【００１９】
図１は、本発明の一実施形態に係る椅子の斜視図である。図２は、本発明の一実施形態に係る椅子の分解斜視図である。図２では、後述する張り材を省略して示している。図３は、本発明の一実施形態に係る椅子の一部を切断した斜視図である。
【００２０】
図１に示すように、スツール１００は、床面に設置されるベース体（脚部材）１と、着座者が着座可能な座部材２と、ベース体１と座部材２とを連結する４本のパイプ支柱（連結部材）３と、座部材２及び複数のパイプ支柱３を覆うように張られた張り材（外被材）５Ａと、を備えている。
【００２１】
（ベース体）
図２，３に示すように、ベース体１は、下面を形成するスカート部１１と、スカート部１１の上部に配置されたベース板（ベース部）１２と、スカート部１１に取り付けられた高さ調整可能な複数のアジャスタ１３と、を有している。
本実施形態では、スカート部１１とアジャスタ１３とが、設置部を構成している。
【００２２】
スカート部１１は、平面視円形状に形成された支持板部１１Ａと、支持板部１１Ａの縁部から下方に延びる内壁部１１Ｂと、を有している。さらに、スカート部１１は、内壁部１１Ｂの下端から平面視スツール１００の中央側から外側（以下、単に「外側」と称することがある。）に延びる底壁部１１Ｃと、底壁部１１Ｃの端部から上方に向かって立ち上がる外壁部１１Ｄと、を有している。外壁部１１Ｄの上端１１Ｅは、支持板部１１Ａの上面１１Ｕと略同一の高さに位置している。
本実施形態では、スカート部１１は、樹脂により構成されている。また、支持板部１１Ａと、内壁部１１Ｂと、底壁部１１Ｃと、外壁部１１Ｄとは一体に形成されている。
【００２３】
支持板部１１Ａには、後述するベース板１２を取り付けるための取付孔１１Ｘが設けられている。また、支持板部１１Ａには、アジャスタ１３を取り付けるためのアジャスタ取付部１１Ｙが設けられている。これら取付孔１１Ｘ及びアジャスタ取付部１１Ｙは、互いに離間してそれぞれ４箇所ずつ設けられている。
なお、取付孔１１Ｘ及びアジャスタ取付部１１Ｙの個数は、４個に限られず適宜選択可能である。
【００２４】
ベース板１２は、平面視円形状に形成されている。ベース板１２には、後述するパイプ支柱３を取り付けるための取付孔１２Ａが設けられている。取付孔１２Ａは、ベース板１２の内縁に沿って４箇所設けられている。
【００２５】
このベース板１２は、スカート部１１の支持板部１１Ａの上部に、後述する張り材５Ａの端部を介在させて配置されている。本実施形態では、ベース板１２は、合板により構成されている。
【００２６】
アジャスタ１３の先端のネジ部が、スカート部１１の支持板部１１Ａに設けられたアジャスタ取付部１１Ｙに螺合されている。これにより、アジャスタ１３は、平面視スカート部１１の外壁部１１Ｄ及び内壁部１１Ｂよりもスカート部１１の中央側に取り付けられている。
なお、高さ調整が可能なアジャスタ１３の代わりに、床面に設置され支持板部１１Ａ等に固定された固定脚（不図示。以下同じ。）や、床面上で走行移動自在なキャスター（不図示。以下同じ。）等を適宜採用することができる。また、固定脚やキャスターの個数は、適宜選択可能である。
【００２７】
（座部材）
座部材２は、弾性を有するクッション材２１と、クッション材を支持するクッションベース（クッション支持部）２２と、を有している。
【００２８】
クッション材２１は、平面視矩形状をなすとともに、四隅が円弧状に形成されている。このクッション材２１の上面２１Ｂは、下面２１Ａよりも大きな形状をなしている。クッション材２１の側面２１Ｃは、上方から下方に向かうにしたがって次第にスツール１００の平面視中央側に向かうように傾斜している。本実施形態では、クッション材２１はウレタンにより構成されている。
【００２９】
クッションベース２２は、平面視矩形状をなし、クッション材２１の下面２１Ａに沿って配置されている。クッションベース２２には、後述するパイプ支柱３を取り付けるための取付孔２２Ａが設けられている。取付孔２２Ａは、クッションベース２２の四隅に設けられている。
【００３０】
（パイプ支柱）
各パイプ支柱３は、管状に形成され、上下方向に延びるように配置されている。このパイプ支柱３の両端の内面には、雌ネジ３Ｐ，３Ｑが設けられている。
【００３１】
ベース板１２の下方から取付孔１２Ａに挿通された螺子１２Ｚは、パイプ支柱３の下端の雌ねじ３Ｐに螺合されている。また、クッションベース２２の上方から取付孔２２Ａに挿通された螺子２２Ｚは、パイプ支柱３の上端の雌ねじ３Ｑに螺合されている。これにより、パイプ支柱３は、ベース板１２とクッションベース２２とを連結している。
【００３２】
（張り材）
張り材５Ａは、内材５１Ａと、内材５１Ａの外側に設けられた伸縮性を有する外材５２Ａと、を有している。本実施形態では、内材５１Ａは、ウレタンが所望の形状に切断されたスラブウレタンにより構成されている。また、外材５２Ａは、ストレッチニットで構成されている。
【００３３】
この張り材５Ａは、座部材２のクッション材２１の上面２１Ｂ全体を覆うとともに、端部５３Ａがベース板１２の側面（外縁）１２Ｂからベース板１２の下面１２Ｃに沿って巻き込まれるようにして、張力（テンション）が作用した状態で張られている。換言すると、張り材５Ａは、上下方向において、クッション材２１の上面２１Ｂからベース板１２の下面１２Ｃにわたって配置されている。
【００３４】
張り材５Ａの端部５３Ａは、ベース板１２の下面１２Ｃに固定されるとともに、ベース板１２の外周部の下面１２Ｃとスカート部１１の支持板部１１Ａの上面１１Ｕとの間に挟み込まれている。支持板部１１Ａに形成された取付孔１１Ｘから、螺子１１Ｚが挿通されベース板１２に螺合されている。これにより、張り材５Ａの端部５３Ａが、ベース板１２の外周部とスカート部１１の支持板部１１Ａの上面１１Ｕとの間に取り付けられている。
なお、張り材５Ａの端部５３Ａのベース板１２への固定方法としては、タッカー（不図示）等により針（不図示）で留める方法を採用することができる。または、張り材５Ａを端部５３Ａに、内縁に沿って延びる筒状の挿通部（不図示。以下同じ。）を形成する。この挿通部に可撓性の針金等の紐条体（不図示。以下同じ。）を挿通して、紐条体を緊張させる。そして、ベース板１２に形成された溝（不図示）に紐条体を挿入して、下方からスカート部１１で押さえる方法を採用することもできる。または、張り材５Ａの端部５３Ａをベース板１２の下面１２Ｃへ接着剤（不図示）により接着する方法を採用することもできる。
【００３５】
ここで、張り材５Ａは、パイプ支柱３との間に空間部Ｋを形成するようにして取り付けられている。空間部Ｋは、パイプ支柱３の平面視外側に沿って環状に形成されている。
【００３６】
平面視において、座部材２の中心と、ベース体１の中心とは同心状に配置されている。クッション材２１の上面２１Ｂの形状は、ベース板１２の形状よりも大きい。張り材５Ａは、クッション材２１の上面２１Ｂの角部２１Ｄと、ベース板１２の下面１２Ｃの角部１２Ｄとを結ぶ面に沿って張られている。つまり、クッション材２１とベース板１２との間において、張り材５Ａは、上方から下方に向かうにしたがって次第にスツール１００の平面視中央側に向かって傾斜するように張られている。これにより、空間部Ｋの幅は、上側の方が下側よりも大きく形成されている。
【００３７】
このように構成されたスツール１００では、張り材５Ａは、座部材２のクッション材２１の上面２１Ｂ全体を覆うとともに、端部５３Ａがベース板１２の側面１２Ｂからベース板１２の下面１２Ｃに沿って巻き込まれるようにして張られている。ベース板１２とクッションベース２２とを連結するパイプ支柱３と張り材５Ａとの間には、空間部Ｋが形成されている。例えば、脚部材と座部材との間に外郭をなす芯材が設けられた椅子において、平面視で脚部材の形状と座部材の形状とが異なると、芯材が複雑な形状をなすため、芯材に沿って張られた外被材には局所的な力が生じる。一方、本発明では、張り材５Ａはパイプ支柱３との間に形成された空間部Ｋに沿って自由に変形することができ、局所的な力が生じることがない。よって、張り材５Ａに捩れ等が生じることが抑制されるため、張り材５Ａを支障なく張ることができる。
【００３８】
また、張り材５Ａは、クッション材２１の上面２１Ｂに沿って張られ、クッション材２１の角部１２Ｄで角部１２Ｄの形状に沿うように曲げられて、ベース板１２の下部まで適度な張力が作用した状態で張られている。よって、適度な張力で張られた張り材５Ａにより、スツール１００の外観を構成することができる。
【００３９】
また、張り材５Ａは、座部材２を覆うとともにベース板１２の下部まで上下方向にわたって張られている。よって、座部材２からベース体１の上部にわたって張られた張り材５Ａにより、統一感のある外観デザインのスツール１００を提供することができる。
【００４０】
また、複数のパイプ支柱３がベース体１と座部材２とを連結するため、複数のパイプ支柱３で、座部材２に作用する着座者の荷重を確実に支持することができる。
【００４１】
また、着座者が着座するクッション材２１は弾性を有するため、座り心地を良好にすることができる。また、クッション材２１を支持するクッションベース２２はパイプ支柱３を介してベース体１に連結されているため、クッション材２１に作用する着座者の荷重を確実に支持することができる。
【００４２】
また、張り材５Ａの端部５３Ａは、ベース板１２の下面１２Ｃとスカート部１１の上面１１Ｕとの間に挟み込まれ外部から見えないため、スツール１００の外観を向上させることができる。また、張り材５Ａが床面に接することがないため、張り材５Ａが床面に接触して汚れることが抑制される。
【００４３】
また、アジャスタ１３が、スカート部１１の外壁部１１Ｄ及び内壁部１１Ｂよりも、平面視スツール１００の中央側に設けられているため、利用者の足や物品等がアジャスタ１３に当たることがないとともに、アジャスタ１３が損傷、破損することがない。また、外部から見た際に、スカート部１１の外壁部１１Ｄ及び内壁部１１Ｂで隠れてアジャスタ１３を視認できないため、デザイン性に優れたスツール１００を提供することができる。
【００４４】
また、特許文献１のような椅子の外郭を構成する樹脂等の芯材を必要としないため、大幅な軽量化が可能である。また、樹脂を成型するための成形型が不要であるため、大幅なコスト削減が可能である。
【００４５】
（変形例）
次に、上記に示す実施形態の変形例について、主に図４を参照して説明する。
なお、以下に説明する変形例においては、上記に示す実施形態と共通する構成については図中に同符号を付してその説明を省略する。
【００４６】
図４は、図４本発明の一実施形態の変形例に係る椅子の斜視図である。
図４に示すように、張り材５Ｂは、座部材２のクッション材２１の上面２１Ｂ全体から張られて、端部（不図示）がスカート部１１の外壁部１１Ｄ（図３参照。以下同じ。）からスカート部１１の底壁部１１Ｃ（図３参照。以下同じ。）の下面に巻き込まれるようにして張られている。換言すると、張り材５Ｂは、上下方向において、クッション材２１の上面２１Ｂからスカート部１１の底壁部１１Ｃの下面にわたって配置されている。張り材５Ｂの端部は、例えば、スカート部１１の底壁部１１Ｃに接着等により固定されている。あるいは、張り材５Ｂの端部は、スカート部１１の底壁部１１Ｃの下面からさらに内壁部１１Ｂ（図３参照。以下同じ。）に沿って巻き込まれ、内壁部１１Ｂ等に接着等により固定されていてもよい。
【００４７】
このように構成された椅子１０１では、ベース体１、座部材２及びパイプ支柱３が張り材５Ｂにより覆われているため、統一感のある美観を奏する。
【００４８】
これ以外にも、本発明の主旨を逸脱しない限り、上記実施の形態で挙げた構成を取捨選択したり、他の構成に適宜変更したりすることが可能である。
【００４９】
例えば、上記に示す実施形態においては、ベース体１が平面視円形状に形成されるとともに座部材２が平面視矩形状に形成されているが、本発明はこれに限られない。平面視において、脚部材の形状と座部材の形状とは異なればよく、例えば、本実施形態とは逆に、ベース体が平面視矩形状に形成されるとともに座部材２が平面視円形状に形成されていてもよい。あるいは、脚部材及び座部材の平面視の形状は、円形状、矩形状に限られず、三角形状または多角形状であってもよい。
【００５０】
また、上記に示す実施形態においては、張り材５Ａが連続して形成されているが、本発明はこれに限られない。座部材２を覆い上面をなす部分と、パイプ支柱３の側方に配置され側面をなす部分とが別々に構成され、互いに接合されたものであってもよい。
【００５１】
また、上記に示す実施形態においては、椅子の一例としてスツールを例に挙げて説明したが、本発明はこれに限られない。座部に背凭れや肘掛け等が設けられた椅子にも適用可能である。
【００５２】
また、スカート部１１の支持板部１１Ａ、ベース板１２及びクッションベース２２に、板厚方向（上下方向）に貫通する空気孔（不図示。以下同じ。）をそれぞれ設けてもよい。これにより、着座者が着座した際には、クッションベース２２の空気孔、クッションベース２２とベース板１２との間、ベース板１２の空気孔及び支持板部１１Ａの空気孔の順に、上方から下方への空気の流れを形成することができる。また、着座者が立った際には、支持板部１１Ａの空気孔、ベース板１２の空気孔、ベース板１２とクッションベース２２との間、クッションベース２２の空気孔の順に、下方から上方への空気の流れを形成することができる。よって、スツール１００に着座者の荷重が作用したり、作用していた荷重が取り除かれた場合に、スツール１００の変形を防止することができる。
【００５３】
また、上記に示す変形例においては、ベース体１がスカート部１１を有する構成を挙げて説明したが、本発明はこれに限られない。例えば、スカート部１１を設けずに、アジャスタ１３がベース板１２に直接取り付けられる構成であってもよい。この場合には、張り材５Ｂの端部は、ベース板１２の下面１２Ｃに固定される。
【符号の説明】
【００５４】
１…ベース体（脚部材）
２…座部材
３…パイプ支柱（連結部材）
５Ａ…張り材（外被材）
５３Ａ…外被材の端部（張り材５Ａの端部）
１１…スカート部（設置部）
１２…ベース板（ベース部）
１３…アジャスタ（設置部）
２１…クッション材
２２…クッションベース（クッション支持部）
２１Ｂ…クッション材２１の上面（座部材の上面）
１００…スツール（椅子）
Ｋ…空間部
【図１】
0006433056.tif 000002
【図２】
0006433056.tif 000003
【図３】
0006433056.tif 000004
【図４】
0006433056.tif 000005